(57)【要約】【課題】  トラクタに装着する畦形成機において、一側部に突出する畦形成部を簡単な構成で走行バランスを崩さないで後方へ収納する。【解決手段】  トラクタに装着する装着フレームと、装着フレームの後部には垂直方向の回転軸を設け、この回転軸に畦形成部を設けた支持ビームの基部を連結させて回動自在に構成した畦形成装置である。装着フレームに設けた伝達軸と畦形成部とは折り曲げ及び伸縮可能な伸縮回転軸によって連結され、支持ビームの基部の回転軸は、トラクタ機体中心線に対して前進作業位置側に偏位させて設けた構成により後方へ回動した位置で重心がトラクタ側へ近づくので、走行バランスを崩さない収納装置である。【選択図】      図１
2005176675.tif 000002
【特許請求の範囲】
【請求項１】
トラクタに装着する装着フレームと、装着フレームの後部には垂直方向の回転軸を設け、この回転軸に支持ビームの基部を連結させて回動自在に構成し、支持ビームの他端には盛土装置と畦形成装置からなる畦形成部を備え、装着フレームにはトラクタＰＴＯ軸に連結される伝達軸を設け、前記伝達軸と畦形成部とは折り曲げ及び伸縮可能な伸縮回転軸によって連結され、支持ビームの基部の回転軸は、トラクタ機体中心線に対して前進作業位置側に偏位させて設けたことを特徴としたトラクタに連結する畦形成機。
【請求項２】
装着フレームの上部と支持ビームの上部とに連結ロッドを掛け渡して、作業位置及び移動時の後方位置に固定可能とした請求項１記載のトラクタに連結する畦形成機。
【発明の詳細な説明】
【技術分野】
【０００１】
本発明は、水田の畦を修復して整畦する畦形成機に関するもので、特にトラクタに連結した状態で圃場間を移動する場合の収納構成に係るものである。
【背景技術】
【０００２】
従来、この種の畦形成機としては「トラクタの懸架機構に連結される連結部を有する機枠と、この機枠の後方に配置され一端部に畦塗り用の泥土を切削して跳ね上げる多数の切削刃を有する回転自在のロータリー及びこのロータリーの後方に位置してこのロータリーの各切削刃にて跳ね上げられた泥土を旧畦に塗り付けて旧畦を修復する回転自在の畦塗り体を有する可動フレームと、前記機枠に前記可動フレームを移動自在に連結しこの可動フレームの前記ロータリー及び畦塗り体をトラクタの車輪より外側方に突出させた畦塗り作業位置及びトラクタの内側方に後退させた非畦塗り作業位置にそれぞれ移動可能にした平行リンクと、前記機枠に回動自在に取り付けられ前記ロータリー及び畦塗り体を畦塗り作業位置及び非畦塗り作業位置に移動させた前記平行リンクを移動不能に支持する平行リンク支持手段と、を具備した、ことを特徴とする畦塗り機」が知られる。（特許文献１）
【特許文献１】特開平１０−２９０６０１号公報
【発明の開示】
【発明が解決しようとする課題】
【０００３】
前記した公知文献の構成では、「ベベルギヤを内装して、左右の出力軸を有したミッションを含んだ可動機枠を一組の平行リンク体によって左右に平行移動するもの」で、畦形成部に対して動力伝達構成が複雑で重量が嵩み、その重量が嵩んだ分が左右に移動する力を大きく必要として、作業者が重労働となる問題がある。
【課題を解決するための手段】
【０００４】
上記課題を解決するために、トラクタに装着する装着フレームと、装着フレームの後部には垂直方向の回転軸を設け、この回転軸に支持ビームの基部を連結させて回動自在に構成し、支持ビームの他端には盛土装置と畦形成装置からなる畦形成部を備え、装着フレームにはトラクタＰＴＯ軸に連結される伝達軸を設け、前記伝達軸と畦形成部とは折り曲げ及び伸縮可能な伸縮回転軸によって連結され、支持ビームの基部の回転軸は、トラクタ機体中心線に対して前進作業位置側に偏位させて設けたことを特徴としたトラクタに連結する畦形成機を提供したものである。又、前記した畦形成機において、装着フレームの上部と支持ビームの上部とに連結ロッドを掛け渡して、作業位置及び移動時の後方位置に固定可能としたものである。
【発明の効果】
【０００５】
以上のような構成にしたので、動力伝達部が単純な構成で軽量となるとともに、トラクタ機体中心に対して作業位置側に偏位した一点の回転軸によって後方へ作業部を回動させるので回動力が小さくすみ、畦形成部がトラクタ後部からのオーバーハング量も少なくなり、走行バランスも有利になる。又、連結ロッドによって作業位置及び後方位置を兼用して固定可能としたので、従来の固定ピン方式に比べて堅労である。
【発明を実施するための最良の形態】
【０００６】
以下、本発明を実施した図面に基づいて説明する。図１は本発明を実施した平面図で畦形成部が作業位置に固定された状態を示し、図２は畦形成部を移動時の後方に収納した平面図、図３は図１の側面図、図４は図１の後面図、図５は図２の側面図及び図６は従来比の説明図を示したものである。
【０００７】
図１において、１は装着フレームを示し、前方に一対のロアピン２及びトップブラケット３を有して、図示していないがトラクタ後部三点リンクヒッチに連結される。５は支持ビームを示し、基部は装着フレーム１のトラクタ中心からは畦形成作業部よりに偏位して設けた回転軸４によって後方へ回動自在に支持されている。支持ビーム５は、インナービーム５１とアウタービーム５２から構成され、アウタービーム５２は摺動自在で、他端に畦形成部６を配置している。畦形成部６は、掘削爪１４を有した盛土装置７と、畦の上面処理装置９及び、円錐ディスク１５と上面ローラを有した畦形成装置８からなる。
【０００８】
２３は受動ケースを示し、前方の盛土装置７を駆動する第１伝動ケース１２と畦形成装置８を駆動する第２伝動ケース１３へ動力分配される。２２は支持ビームのアウタービーム５２の摺動を阻止する時の固定ピンを示し、１０は装着フレーム１の上部とアウタービーム５２の上部とに掛け渡した連結ロッドを示す。
【０００９】
０−０´は装着フレーム１の中心線で、トラクタ機枠中心とも一致しており、前記した回転軸４の偏位量（Ｌ）を示している。
【００１０】
図２は、畦形成部６をトラクタ後方へ回転軸４を中心として回動して収納した平面図である。図１における固定ピン２２を抜いた後に支持ビーム５を後方へ旋回させて、再度摺動をロックするために固定ピンを差し込んで固定したものである。この収納状態は、図６の従来の説明で示した回転軸４がトラクタの中心線上にある場合に比して、偏位した長さ（Ｌ）だけ後方へのオーバーハング量が短縮されて配置固定されている。
【００１１】
さらに支持ビーム５のアウタービーム５２の固定ピン２２を抜いてフリー状態で旋回した場合に、装着フレーム１の上部に一端を固定した連結ロッド１０の回転軌跡に沿って摺動短縮され、畦形成部６の重心はトラクタ後部に近づいて走行バランスは一層有利になる。Ｐ−Ｐ１は、連結ロッド１０が支持ビーム５を旋回した時のアウタービーム５２の連結点の回動軌跡を示し、回転軸４を支点とした回動軌跡Ｑ−Ｑ１の内側を移動することを示している。
【００１２】
図３において、装着フレーム１の中央前方に設けた伝達軸１９はトラクタＰＴＯ軸に連結されて動力を受け、伝達軸１９の後部と受動ケース２３とには１１の伸縮回転軸が掛け渡されている。伸縮回転軸１１は、中間部で従来公知の二重スライド構成により伸縮するものである。
【００１３】
１６は背面カバーで、盛土装置７の背面に位置して、掘削爪１４で掘削した土をガイドカバー１７を経由して畦形成装置８側へ案内する。２０は自在継手を示し、伸縮回転軸１１の前端に連結して構成されたものであり、この自在継手は伝達軸１９に連結されて回転する。
【００１４】
図４の作業時後面図において、１１の伸縮回転軸の後端には自在継手２１が結合され、この自在継手２１は受動ケース２３の入力軸２５へ連結されている。支持ビーム５のアウタービーム５２は、トラクタのタイヤと畦際との適当な距離を保持するために必要によって横方向へ移動し、予めインナービーム５１に設定した複数個の調整孔を選択して固定ピン２２を差し換えて固定する。畦形成部６の移動に伴なう入力軸２５の変化は、伸縮回転軸１１が適宜に伸縮可変追随する。
【００１５】
図５は畦形成部６を移動時の後方へ収納した側面図であり、トラクタ中心から偏位した回転軸４に対して支持ビーム５の基部を形成するボス軸２４が嵌合支持されて、インナービーム５１に対してアウタービーム５２が装着フレーム１側に最大限に摺動して、畦形成部６をトラクタ後部に近づけた状態を示したものである。
【図面の簡単な説明】
【００１６】
【図１】本発明を実施した平面図で畦形成部が作業位置に固定された状態
【図２】畦形成部を移動時の後方に収納した平面図
【図３】図１の側面図
【図４】図１の後面図
【図５】図２の側面図
【図６】従来比の説明図
【符号の説明】
【００１７】
１      装着フレーム
２      ロアピン
３      トップブラケット
４      回転軸
５      支持ビーム
５１    インナービーム
５２    アウタービーム
６      畦形成部
７      盛土装置
８      畦形成装置
９      上面処理装置
１０    連結ロッド
１１    伸縮回転軸
１２    第１伝動ケース
１３    第２伝動ケース
１４    掘削爪
１５    円錐ディスク
１６    背面カバー
１７    ガイドカバー
１８    上面カバー
１９    伝達軸
２０，２１    自在継手
２２    固定ピン
２３    受動ケース
２４    ボス軸
２５    入力軸
【図１】
2005176675.tif 000003
【図２】
2005176675.tif 000004
【図３】
2005176675.tif 000005
【図４】
2005176675.tif 000006
【図５】
2005176675.tif 000007
【図６】
2005176675.tif 000008